(57)【要約】  【課題】  複合線から適切な車線を良好に検出できる車線検出装置を提供する。  【解決手段】  カメラ３０は、路面画像を光の三原色Ｒ，Ｇ，Ｂで撮影する。画像処理ＥＣＵ３２（車線検出装置）は、路面画像のデータをカメラ３０から取得し（Ｓ１）、路面画像４０における１列の画素の集合である検査ライン４２を設定する（Ｓ３）。路面画像から抽出したカラー情報から、車両前方左側において、所定の閾値以上のコントラストを示す位置が基準線４６に最も近く、かつその位置で最大のコントラストを示すカラー情報を選択する（Ｓ４）。そのカラー情報に基づき、輝度値のパラメータに変換する（Ｓ５）。同様に右側についても行う（Ｓ６，７）。Ｓ５およびＳ７で変換した輝度値パラメータからエッジ点を抽出し（Ｓ８）、エッジ点に基づきエッジ線の抽出を行い（Ｓ１１）、エッジ線から車線位置を算出する（Ｓ１２）。【選択図】図２
2012155612.tif 000002
【特許請求の範囲】
【請求項１】
車両前方の路面を撮影した画像であって、複数の色成分を個別に抽出可能な路面画像を取得する画像取得手段と、
前記画像取得手段により取得された前記路面画像における前記車両前方の左側および右側を示す２つの領域のうちの少なくともいずれか一方において、前記領域から抽出された色成分の１つまたは２つ以上の組み合わせよりなる複数のカラー情報の中から、所定の閾値以上のコントラストを示す位置が前記２つの領域の境界に最も近く、かつその位置において最大のコントラストを示す前記カラー情報を選択する選択手段と、
前記選択手段により選択された前記カラー情報からエッジ点を抽出するエッジ抽出手段と、
前記エッジ抽出手段により抽出されたエッジ点に基づいて、前記路面上の車線を検出するエッジ検出手段と、を備える
ことを特徴とする車線検出装置。
【請求項２】
前記選択手段は、水平方向、かつ、前記車両の進行方向と交差する方向に対応する前記路面画像面上の方向に設定された検査ライン上の前記カラー情報に基づいて、前記カラー情報の選択を行う
ことを特徴とする請求項１に記載の車線検出装置。
【請求項３】
前記複数の色成分とは、赤，緑，青の３色であり、
前記カラー情報は、前記３色のいずれか１色，前記３色のうち２色の組み合わせ，および前記３色の組み合わせ，によりなるものの２つ以上である
ことを特徴とする請求項１または請求項２に記載の車線検出装置。
【請求項４】
前記車線検出装置は、前記車両の周囲の明るさが所定の閾値以下であること，夜間に相当する時刻であること，および前記車両のヘッドライトが点灯していること，からなる群より選択される少なくともいずれか１つを検出する夜間検出手段を備え、
前記選択手段は、前記夜間検出手段により前記群のいずれかが検出されている場合には、前記複数の色成分の全てを含む前記カラー情報を選択する
ことを特徴とする請求項１から請求項３のいずれか１項に記載の車線検出装置。
【発明の詳細な説明】
【技術分野】
【０００１】
本発明は、車両前方の路面を撮影した路面画像に基づいて車線を検出する車線検出装置に関する。
【背景技術】
【０００２】
従来、車両前方の路面を撮影した路面画像を画像処理して車線を検出する車線検出装置が提案されている。ここでいう車線とは、実線や破線からなる白線や有色線等のペイント、または車両の走行方向に沿って間欠的に配置される道路鋲などによって構成される線である。
【０００３】
車線検出装置は、撮影した路面画像からペイントや道路鋲などを示すエッジ点を抽出し、抽出された複数のエッジ点に基づいて車線を検出する。車線検出装置によって検出された車線は、車両の進行方向や速度、操舵角などの挙動情報と組み合わせて、車両が車線を逸脱するか否かの予測に利用されたり、自動操舵角制御に用いる情報の一つとして利用されたりする。
【０００４】
ところで、ペイントの色や周囲の明るさによっては、路面画像において車線と道路とのコントラストの差が小さくなり、精度良くエッジ点が抽出されず、車線の認識が困難になる場合がある。
【０００５】
そこで、従来、撮影した路面の画像を三色のカラー信号として独立して取り込み、路面と車線とが最大のコントラストとなるカラー信号の組み合わせを得て、その組み合わせを用いて車線の認識処理を行う車載用画像処理カメラ装置が提案されている（特許文献１参照）。この装置は、例えば三色のカラー信号のうち、赤成分と緑成分から合成した黄色の画像を用いることで、黄線からなる車線の検出精度を向上させることができる。
【先行技術文献】
【特許文献】
【０００６】
【特許文献１】特開２００３−３２６６９号公報
【発明の概要】
【発明が解決しようとする課題】
【０００７】
例えばカープールレーンのように、複数の車線を組み合わせた複合線が配置され、さらに複合線に複数色の車線が混在している場合、特許文献１の技術では、最大のコントラストとなるカラー信号の組み合わせを用いても、車線ごとに検出精度の優劣が発生する場合がある。
【０００８】
例えば、白色線１本と黄色線４本が存在して、黄色線のコントラストが大きくなるようにカラー信号の組み合わせが選択されると、白色線の検出精度が低くなってしまう場合がある。車線の検出処理においては、最も内側（車両に近い側）に存在する車線を精度良く検出することが重要であるが、上記の状況で白色線が最も内側に存在すると、白色線が検出されず、車線検出が適切に行われない可能性がある。
【０００９】
本発明は、上述した問題に鑑みてなされたものであり、その目的は、複合線から適切な車線を良好に検出できる車線検出装置を提供することである。
【課題を解決するための手段】
【００１０】
上述した問題を解決するためになされた請求項１に記載の車線検出装置は、車両前方の路面を撮影した画像であって、複数の色成分を個別に抽出可能な路面画像を取得する。そして取得された路面画像における車両前方の左側および右側を示す２つの領域のうちの少なくともいずれか一方において、その領域から抽出された色成分の１つまたは２つ以上の組み合わせよりなる複数のカラー情報の中から、所定の条件を満たすカラー情報を選択する。上記条件とは、所定の閾値以上のコントラストを示す位置が上記２つの領域の境界に最も近く（即ち、左右の中央側に最も近く）、かつその位置において最大のコントラストを示す、という条件である。
【００１１】
そして、選択されたカラー情報からエッジ点を抽出し、抽出されたエッジ点に基づいて、車線を検出することを特徴とする。
エッジ点を抽出する具体的な手法は特に限定されないが、カラー情報から例えばキャニー法や微分エッジ検出法などを用いて抽出することができる。また、エッジ点から車線を検出する方法としては、例えばハフ変換を用いて線分を決定し、その線分に基づいて車線を決定することが考えられる。
【００１２】
上述した車線検出装置であれば、複数の車線を組み合わせた複合線が配置され、さらに複合線に複数色の車線が混在している場合であっても、複合線の中から最も内側にある車線を適切に検出することができるようになる。
【００１３】
なお、上述した車線の検出の処理は、路面画像における車両前方の左側の領域のみ、あるいは右側の領域のみを対象として実行してもよいが、もちろん左右両方の領域を対象としてもよい。その場合には、左右独立して最適な（所定の条件を満たす）カラー情報を選択して、適切に車線を検出することができる。
【００１４】
カラー情報を選択する際には、水平方向、かつ、車両の進行方向と交差する方向に対応する路面画像面上の方向に設定された検査ライン上のカラー情報に基づいて、カラー情報の選択を行うように構成してもよい。
【００１５】
水平方向かつ車両の進行方向と交差する方向とは、道路を通常に走行している状態においては、複合線を構成する各車線が並ぶ方向である。したがって、このように構成された車線検出装置であれば、複合線を構成する各車線に基づく輝度値変化のコントラストの比較を容易に行うことができ、精度の高いエッジ点の検出を行うことができるようになる。
【００１６】
また、路面画像の複数の色成分とは、赤，緑，青の三色（光の三原色）としてもよい。その場合、カラー情報は、上記三色のいずれか一色，三色のうち二色の組み合わせ，および三色の組み合わせ，の中から選択される２つ以上とし、その中から最適なカラー情報を選択するように構成してもよい。
【００１７】
なお、本発明の車線検出装置における上述した処理は、車両の走行中（車線検出装置の起動中）常時実行することとしても良いし、所定の条件を満たしたときにのみ実行することとしても良い。
【００１８】
例えば、車線検出装置は、車両の周囲の明るさが所定の閾値以下であること，夜間に相当する時刻であること，および車両のヘッドライトが点灯していること，からなる群より選択されるいずれか１つ以上を検出する手段を備え、それらのいずれかが検出されている場合には、全ての色成分を含むカラー情報のみに基づいて車線の検出を行うように構成してもよい。全ての色成分を含むカラー情報とは、撮影された路面画像そのものと言い換えることができる。
【００１９】
夜間においては、路面画像に映される車線が車両のヘッドライトや周囲の照明の影響を受けやすく、またそもそも車線と路面とのコントラストが高くなりやすいため、特別に色成分を抽出して輝度を判定せずとも、高い精度で車線を検出できる。よって、上記構成の車線検出装置では、そのような場合における処理負担を減らすことができる。
【図面の簡単な説明】
【００２０】
【図１】実施例の車線逸脱警報システムの構成を示すブロック図である。
【図２】画像処理ＥＣＵによる逸脱警報処理の処理手順を示すフローチャートである。
【図３】路面画像（Ａ）と、路面画像の輝度値を示すグラフ（Ｂ）と、最適化処理後の輝度値を示すグラフ（Ｃ）である。
【図４】路面画像（Ａ）と、路面画像の各色成分ごとの輝度値を示すグラフ（Ｂ）〜（Ｄ）である。
【図５】画像処理ＥＣＵによる判定処理の処理手順を示すフローチャートである。
【発明を実施するための形態】
【００２１】
以下に本発明の実施形態を図面と共に説明する。
［実施例］
（１）車線逸脱警報システムの構成
車線逸脱警報システム１は、自動車等の車両に搭載されて用いられるシステムであって、図１に示すように、ＣＡＮによる車内ネットワーク１０と、画像センサ１２と、ブザー１４と、を有している。
【００２２】
車内ネットワーク１０は、車両の旋回方向への角速度（即ち、ヨーレート）を検出するヨーセンサ２０と、車両の走行速度（車速）を検出する車速センサ２２と、車両に照射する光の照度を検出する照度センサ２４と、を有している。
【００２３】
画像センサ１２は、カメラ３０と、カメラ３０が撮影した画像を処理し、ブザー１４にブザー要求の制御信号を出力する画像処理ＥＣＵ３２と、からなる。なお、この画像処理ＥＣＵ３２が本発明における車線検出装置に相当する。
【００２４】
カメラ３０は、車両の例えば中央前方側に装着されて、車両前方の路面を含む風景を所定の時間間隔（本実施例では１／１５ｓ）で撮影して、その撮影された路面画像のデータ（以降、当該データを路面画像という場合がある）を画像処理ＥＣＵ３２に出力するものである。
【００２５】
本実施例のカメラ３０は、路面画像を光の三原色Ｒ（赤），Ｇ（緑），Ｂ（青）で撮影するように構成されており、例えば公知のＣＣＤイメージセンサ、あるいはＣＭＯＳイメージセンサを用いることができる。
【００２６】
画像処理ＥＣＵ３２は、図示しないＣＰＵ，ＲＯＭ，ＲＡＭ，入出力インターフェース，およびこれらの構成を接続するバスライン等からなる周知のマイクロコンピュータを中心に構成されている。
【００２７】
画像処理ＥＣＵ３２は、ＲＯＭから読み込んだアプリケーションプログラムやＲＡＭに格納された各種データに従って、後述する各処理などを実行する。また、後述する逸脱警報処理においては、カメラ３０から路面画像を受信する毎に、ＲＡＭにそのデータを格納し、そのデータに基づいて車線の検出を実行する。
【００２８】
また画像処理ＥＣＵ３２は車内ネットワーク１０と接続しており、ヨーセンサ２０，車速センサ２２，および照度センサ２４と通信して各センサの出力値を取得する。
また画像処理ＥＣＵ３２はブザー１４と接続しており、後述する逸脱警報処理において警報を行うべきと判断された際に、ブザー要求の制御信号を出力する。
【００２９】
ブザー１４は、画像処理ＥＣＵ３２より上記制御信号を受信すると、車両内部に警報音を発報させる。
（２）画像処理ＥＣＵ３２による処理
以下に、画像処理ＥＣＵ３２により実行される逸脱警報処理の処理手順を、図２に基づいて説明する。この逸脱警報処理は、車両のアクセサリスイッチがオンにされることで画像センサ１２に電源が投入されると起動され、アクセサリスイッチがオフにされて電源が遮断されるまで繰り返し実行される。
【００３０】
この逸脱警報処理では、まず、路面画像のデータをカメラ３０から取得する（Ｓ１）。
次に、照度センサ２４から取得した照度信号に基づいて、夜間であるか否かを判定する（Ｓ２）。ここでは、車両の周囲が所定の明るさ以上の明るさであれば、即ち照度信号が所定の閾値以上の照度を示すものであれば、夜間ではないと判定する。夜間ではないと判定された場合は（Ｓ２：ＮＯ）、処理がＳ３に移行する。一方、夜間であると判定された場合は（Ｓ２：ＹＥＳ）、処理がＳ１０に移行する。
【００３１】
続くＳ３では、続くＳ４〜Ｓ８の処理を行う対象となる、路面画像４０における１列の画素の集合である検査ライン４２を設定する。図３（Ａ）に、撮影された路面画像４０の一例を示す。検査ライン４２は、車両の進行方向（図中、矢印４４の方向）と交差する方向かつ水平方向に対応する路面画像４０面上の方向（路面画像４０における左右方向）に設定される。
【００３２】
また、路面画像４０には上下方向に基準線４６が設定されている。この基準線４６は車両が直進した場合に車両の中心が通過する位置に対応する路面画像４０上の点である。この基準線４６を基準として、路面画像４０において車両前方の左側と右側の領域が分けられる。即ち、基準線４６が、本発明における車両前方の左側および右側を示す２つの領域の境界を示す線となる。
【００３３】
本逸脱警報処理では、路面画像４０に設定された多数の検査ライン４２それぞれについて、例えば路面と車線との境界点のように画素の輝度値が大きく変化する点（コントラストの大きい点）をエッジ点として抽出し、多数の検査ライン４２（つまり、路面画像４０全体）から検出されたエッジ点に基づいて車線の位置を検出する。そのため、この検査ライン４２は路面画像４０の上下に並ぶように多数設定される。なお図３（Ａ）においてはその検査ライン４２の一部のみを示している。
【００３４】
それぞれの検査ライン４２に対するエッジ点を抽出する処理を後述するＳ４〜Ｓ８にて行う。Ｓ３では、検査ライン４２のいずれか１つであって、当該路面画像４０において未だ設定されていない（Ｓ４〜Ｓ８の処理が行われていない）検査ライン４２を選択し、エッジ点を抽出する処理対象として設定する。
【００３５】
次に、左側最内線の最大コントラストを示すカラー情報を判定する判定処理を行う（Ｓ４）。この判定処理の原理を説明する。
カラー情報とは、路面画像４０から抽出される色成分の１つまたは２つ以上の組み合わせよりなるものであり、路面画像４０から抽出された色成分Ｒ，Ｇ，Ｂそれぞれと、ＲとＧ，ＲとＢ，ＧとＢ、およびＲ，Ｇ，Ｂを全て組み合わせたもの（即ち、全ての色成分を含むもの）の７つのカラー情報が抽出可能である。
【００３６】
図３（Ａ）の路面画像４０には、基準線４６の左側に、基準線４６側から順に黄線４８，白線５０，５２が示される。また、基準線４６の右側には青線５４が示される。以降、これらの線を総称して車線と記載する場合がある。
【００３７】
図３（Ｂ）に、全ての色成分（Ｒ，Ｇ，Ｂ）を含むカラー情報に基づく、１つの検査ライン４２上における、画像のＸ方向（左右方向）と輝度値との関係を模式的に表すグラフを示す。図３（Ｂ）から分かるように、路面に比べて車線の部分の輝度値が高くなっている。しかしながら、黄線４８や青線５４に対応する部分は、白線５０，５２に比べると輝度値が小さく路面とのコントラストが小さい（グラフにおける輝度値の高さの差が小さい）。なお、図３（Ｂ）に示す輝度値は、Ｒ，Ｇ，Ｂ成分それぞれの輝度値の平均値である。
【００３８】
コントラストを大きくしてエッジ点の検出精度を高めるために、複数のカラー情報ごとに輝度値を判定し、コントラストが最大のカラー情報を選択する。図４（Ｂ）〜（Ｄ）に、Ｒ，Ｇ，Ｂの単色成分のカラー情報に基づく輝度値のグラフを示す。なお図４（Ａ）は図３（Ａ）と同じ図である。図４（Ｂ）〜（Ｄ）から分かるように、カラー情報ごとに、車線と路面との境界におけるコントラストが変化する。
【００３９】
ここで、図４（Ａ）のように路面上に複数の車線がある場合には、その最も内側にある車線を検出することが望ましい。そこで、複数のカラー情報の中から、次の基準を満たすカラー情報を、基準線４６の左右それぞれ別個に選択する。その基準とは、所定の閾値以上のコントラストを示す位置が基準線４６に最も近く、かつその位置で最大のコントラストを示すことである。
【００４０】
上記所定の閾値は、車線であると判断できる最低限のコントラストに設定される。この閾値以下のコントラストが示される位置を無視することで、車線以外のものにより生じた小さなコントラストの位置に基づいて、不適切なカラー情報が選択されることを抑制できる。
【００４１】
図３（Ｂ）と、図４（Ｂ）〜（Ｄ）との中から、上記の基準でカラー情報を選択すると、左側の領域については図４（Ｂ）に示すＲ（赤）のカラー情報が選択され、右側の領域については図４（Ｄ）に示すＢ（青）のカラー情報が選択される。これらの輝度値を合せると図３（Ｃ）に示すようになり、最も内側の車線について図３（Ｂ）よりも高いコントラストを示すようになる。
【００４２】
なお、ここでは図３（Ｂ）と図４（Ｂ）〜（Ｄ）の単色成分のカラー情報のみを用いてカラー情報を選択する例を説明したが、２つの色成分を組み合わせたカラー情報も同時に用いて判定してもよい。例えば、２つの色成分を組み合わせたカラー情報の輝度値は、単色のカラー情報における輝度値の平均値とすることができる。
【００４３】
もちろん、抽出可能な全てのカラー情報に基づいて、条件を満たすカラー情報の選択を行う必要はなく、選択対象となるカラー情報は適宜設定することができる。例えば、上記基準を満たすと判断される蓋然性の低いカラー情報は予め生成しないように構成してもよい。
【００４４】
次に、判定処理の処理手順を、図５に示すフローチャートに基づいて説明する。
まず、直前のＳ３にて設定された検査ライン４２に関して、全ての組み合わせのカラー情報を抽出する（Ｓ２１）。ここでは、Ｒ，Ｇ，Ｂの単色と、ＲＧ，ＲＢ，ＧＢ，およびＲＧＢの複合色と、の７つのカラー情報を抽出する。また、カラー情報のうち、基準線４６を基準として左右いずれか一方のみを対象として抽出する。逸脱警報処理のＳ４にて本処理を行う場合には基準線４６の左側の領域、Ｓ６にて本処理を行う場合には右側の領域のみが対象となる。
【００４５】
次に、Ｓ２１にて抽出した各カラー情報について、所定の閾値以上のコントラストを示す位置を検出する（Ｓ２２）。
次に、所定の閾値以上のコントラストを示す位置が、基準線４６に最も近いカラー情報を選択する（Ｓ２３）。ここでは、複数のカラー情報が選択される場合がある。なぜならば、同じ路面画像４０に基づく複数のカラー情報それぞれは、路面画像４０に写された同一の対象物の位置において輝度値が変化する可能性が高いためである。
【００４６】
次に、Ｓ２３にて選択されたカラー情報のうち、コントラストが最大のものを選択する（Ｓ２４）。なお、Ｓ２３にて１つのカラー情報しか選択されていない場合には、そのカラー情報が選択される。その後、本処理を終了し、処理が逸脱警報処理のＳ５に移行する。
【００４７】
説明を図２に戻る。Ｓ２４にて選択されたカラー情報に基づき、輝度値のパラメータに変換する（Ｓ５）。
次に、右側最内線の最大コントラストを示すカラー情報を判定する判定処理を行う（Ｓ６）。ここでは、Ｓ４にて実行した図５と同様の処理を、基準線４６の右側の領域を対象として実行する。
【００４８】
次に、Ｓ５と同様に、Ｓ２４にて選択されたカラー情報に基づき、輝度値のパラメータに変換する（Ｓ７）。
次に、Ｓ５およびＳ７で変換した輝度値パラメータを微分して、微分値が極大，極小になる点をエッジ点として抽出する（Ｓ８）。抽出したエッジ点は、Ｓ３にて設定された検査ライン４２に対応付けてＲＡＭに記憶される。
【００４９】
そして、全ての検査ライン４２に対してエッジ点を抽出するまでの処理（Ｓ４〜Ｓ８）が終了したか否かを判定し（Ｓ９）、終了していなければ（Ｓ９：ＮＯ）、処理がＳ３に戻る。終了していれば（Ｓ９：ＹＥＳ）、処理がＳ１１に移行する。
【００５０】
上述したＳ２にて夜間であると判定された場合（Ｓ２：ＹＥＳ）、通常のカラー情報に基づいて輝度値変換をする（Ｓ１０）。ここでいう通常のカラー情報とはＲ，Ｇ，Ｂの全てを組み合わせた図３（Ｂ）のカラー情報である。このカラー情報に基づいて、全ての検査ライン４２に対して輝度値変換を行い、エッジ点を抽出する。エッジ点の抽出方法はＳ８と同様である。その後、処理がＳ１１に移行する。
【００５１】
続くＳ１１では、エッジ線の抽出を行う（Ｓ１１）。ここでは、Ｓ８にて抽出され、ＲＡＭに記憶された全てのエッジ点、即ちＳ１にて取得された路面画像４０に基づく全てのエッジ点をハフ変換して、一番多くエッジ点を通るエッジ線を抽出する。
【００５２】
次に、車線位置の算出を行う（Ｓ１２）。ここでは、Ｓ１１にて抽出したエッジ線を含む、直近に撮影された所定数の路面画像（例えば直近の３コマ分の路面画像）から抽出したエッジ線に基づいて、車線の位置を算出する。また、算出した車線の位置に基づき車両から車線までの距離を算出する。
【００５３】
次に、車線の逸脱判定を行う（Ｓ１３）。ここでは、まず、ヨーセンサ２０から取得したヨーレートおよび車速センサ２２から取得した車両速度に基づいて、車両の走行軌跡を予測する。続いて、Ｓ１２にて算出した車線の位置、車両から車線までの距離、および予測した走行軌跡に基づいて、車両が車線を逸脱するまでに要する時間を算出する。
【００５４】
そして、算出した車線を逸脱するまでの時間が所定のしきい値（本実施例では１秒）以上であれば、逸脱しないと判定し（Ｓ１３：ＮＯ）、処理がＳ１に戻る。一方、しきい値未満であれば、逸脱の危険ありと判定し（Ｓ１３：ＹＥＳ）、ブザー１４に対してブザー要求の制御信号を出力する（Ｓ１４）。その後、処理がＳ１に戻る。
【００５５】
（３）発明の効果
本実施例の車線逸脱警報システム１であれば、複数の車線を組み合わせた複合線が配置され、さらに複合線に複数色の車線が混在している場合であっても、複合線の中から最も内側にある車線を適切に検出することができる。
【００５６】
また、路面画像４０に映される車線が車両のヘッドライトや周囲の照明の影響を受けやすく、またそもそも車線と路面とのコントラストが高くなりやすい夜間においては、図２のＳ４〜Ｓ７に相当する処理を実行しないため、画像処理ＥＣＵ３２の処理負担を減らすことができる。
（４）対応関係
画像処理ＥＣＵ３２により実行されるＳ１の処理が、本発明の画像取得手段による処理に相当し、Ｓ４，Ｓ６の処理が選択手段による処理に相当し、Ｓ５，Ｓ７，Ｓ８の処理がエッジ抽出手段による処理に相当し、Ｓ１１，Ｓ１２の処理がエッジ検出手段による処理に相当し、Ｓ２の処理が夜間検出手段による処理に相当する。
【００５７】
［変形例］
以上、本発明の実施例について説明したが、本発明は、上記実施例に何ら限定されることはなく、本発明の技術的範囲に属する限り種々の形態をとり得ることはいうまでもない。
【００５８】
例えば、上記実施例においては、基準線４６によって分けられる左右両側に関して所定の条件を満たすカラー情報を選択する構成を例示したが、左右いずれか一方の領域のみ上記選択を行う構成であってもよいし、一定の条件を満たした側の領域のみ上記選択を行うように構成されていてもよい。一定の条件とは、例えば、車線が複数存在することを判定する手段を用いて複数車線が存在すると判定されることが挙げられる。
【００５９】
また上記実施例においては、夜間であるか否かの判定に照度センサ２４から出力される照度信号を利用する構成を例示したが、車両に搭載された時計（一例としてリアルタイムクロック）により示される時刻に応じて夜間であるか否かを判定してもよい。夜間に相当する時刻は例えば午後６時から午前６時などと設定することができるが、周囲の明るさは地域，季節などによって変化するため、それらを考慮して適宜定めることができる。
【００６０】
また、ヘッドライトの点灯の有無を検出し、ヘッドライトが点灯している場合に夜間であると判定してもよい。
また上記実施例においては、カメラ３０がＲ，Ｇ，Ｂの三原色から構成される路面画像を撮影し、それらの色成分を組み合わせてなるカラー情報を用いる構成を例示したが、三原色ＲＧＢと等価変換できる輝度信号と色差信号の組み合わせで表現された信号形式を用いてもよい。
【００６１】
また上記実施例においては、基準線４６は路面画像４０上の予め定められた位置に設定される構成を例示したが、基準線４６は動的な線であってもよい。例えば車両の挙動に基づいてその位置を変更することが考えられる。具体的には、ヨーセンサ２０が出力するヨーレートに応じて、旋回方向に向けて基準線４６を曲げることが考えられる。
【００６２】
また上記実施例においては、車両の進行方向と交差する方向かつ水平方向に対応するように検査ライン４２を設定し、その検査ライン４２ごとにエッジ点を検出する方法を例示したが、そのような検査ライン４２を用いる方法以外であっても、路面画像のコントラストからエッジ点を検出する場合には、本発明を適用することができる。
【符号の説明】
【００６３】
１…車線逸脱警報システム、１０…車内ネットワーク、１２…画像センサ、１４…ブザー、２０…ヨーセンサ、２２…車速センサ、２４…照度センサ、３０…カメラ、３２…画像処理ＥＣＵ、４０…路面画像、４２…検査ライン、４４…矢印、４６…基準線、４８…黄線、５０，５２…白線、５４…青線
【図１】
2012155612.tif 000003
【図２】
2012155612.tif 000004
【図５】
2012155612.tif 000005
【図３】
2012155612.tif 000006
【図４】
2012155612.tif 000007